(57)【特許請求の範囲】
【請求項１】
家具類の脚先端に嵌着可能なキャップ基体を有して成る家具用脚キャップにおいて、
前記キャップ基体が弾性材から成り、かつ、前記キャップ基体には家具類の脚を挿入させるための開口部が形成され、この開口部を形成する筒部の内周面及び外周面の双方がギザギザ面に形成されており、
前記筒部の外周面の径外側に突出する凸ギザと内周面の径外側に凹入する凹ギザとが軸心に関する互いに同一な放射線上に位置するように構成されていることを特徴とする家具用脚キャップ。
【発明の詳細な説明】
【技術分野】
【０００１】
本発明は、テーブルや椅子等の家具類の脚の下端部に嵌めて使用されるキャップ、即ち、家具脚用キャップに関するものである。
【背景技術】
【０００２】
椅子の脚や食卓用テーブルの脚といった家具類の脚の先端に被せて使用されるキャップが知られている。このキャップは、椅子等の引き摺りによって床や脚先に傷が付かないようにするためや、容易に移動しないように滑り止めするためにより、脚下端部に装着される。脚のある家具類としては、勉強机や会議用机といった机、ベッド等、種々のものが考えられる。
【０００３】
前記前者の従来例としては、特許文献１において開示される「家具用脚カバー」が知られている。この家具用脚カバーは、シリコンゴム等の超軟質性樹脂製で脚先に嵌る外挿部（１）と、その外挿部の底面に一体的に設けられるポリアミド等の硬質樹脂製の摺動底部（２）とから構成されている。
【０００４】
前記後者の従来例としては、特許文献２において開示される「家具用脚体の滑り止め」が知られている。これは、ゴム材から成る袋体（Ａ）の底壁の中央部を下方突出させてその底面をフッ素樹脂等の底μ材で成る滑り面とし、底壁の外周部はゴム材のままで成る滑り止め面として構成してある。例えば、椅子単品の場合には、軽いので脚下端に装備されている袋体（Ａ）の下方突出する滑り面（４）が床に接しており、場所を変える等の移動がし易い状態になっている、そして、椅子に人体等が着座して重くなると滑り面（４）が弾性潰れ変形して滑り止め面（５）が床に強く接し、簡単には動かなくなって安定する、という２種類の機能を発揮できると記載されている。
【先行技術文献】
【特許文献】
【０００５】
【特許文献１】特開２００７−２６８２４４号公報
【特許文献２】特開２０００−０７９０２８号公報
【発明の概要】
【発明が解決しようとする課題】
【０００６】
本発明の目的は、このような家具の脚を入れる家具用脚キャップにおいて、家具の脚を入れる場合に伸ばし易いとともに、強固に弾性挟持させることができる家具用脚キャップを提供することにある。
【課題を解決するための手段】
【０００７】
請求項１に係る発明は、家具類の脚先端に嵌着可能なキャップ基体１を有して成る家具用脚キャップにおいて、
前記家具類の脚先端に嵌着可能なキャップ基体１が弾性材から成り、かつ、キャップ基体１には家具類の脚を挿入させるための開口部５Ｂが形成され、この開口部５Ｂを形成する筒部の内周面及び外周面の双方がギザギザ面に形成されており、
前記筒部の外周面１２の径外側に突出する凸ギザ１２ａと内周面１３の径外側に凹入する凹ギザ１３ａとが軸心Ｐに関する互いに同一な放射線上に位置するように構成されているものである。
【発明の効果】
【０００８】
請求項１の発明によれば、家具類の脚先端に嵌着可能なキャップ基体１が弾性材から成り、かつ、キャップ基体１には家具類の脚を挿入させるための開口部５Ｂ（筒部）の内周面及び外周面の双方がギザギザ面に形成されているため、家具の脚を入れる場合に伸ばし易いとともに、強固に弾性挟持させることができる。
【図面の簡単な説明】
【０００９】
【図１】家具用脚キャップの正面図（実施例１）
【図２】図１の平面図
【図３】キャップ基体の内部底面を示す図１のＢ−Ｂ線断面図
【図４】内部構造を示す図２のＡ−Ａ線断面図
【図５】キャップ基体から接地体を外した状態の見下ろし斜視図
【図６】キャップ基体から接地体を外した状態の断面図
【図７】家具用脚キャップの使用例を示す斜視図
【図８】実施例２による接地体の断面図
【発明を実施するための形態】
【００１０】
以下に、本発明による家具用脚キャップの実施の形態を、図面を参照しながら説明する。
【００１１】
〔実施例１〕
実施例１による家具用脚キャップ（以下、単に「脚キャップ」と略称する）Ｃは、図１，図４，図５に示すように、家具類の脚先端に嵌着可能な有底筒状でゴム（弾性材の一例）製のキャップ基体１と、キャップ基体１の下端側（先端側）に支持手段３を介して着脱可能に取付けられる硬質合成樹脂製の接地体２とを備えるとともに、軸心Ｐを有する平面視で円形のものに構成されている。
【００１２】
キャップ基体１は、図１〜図６に示すように、家具類の脚底を載せ付け可能な底壁４、底壁４の外周に続いて上方に立ち上がる上窄まり円筒状の側周壁５、及び底壁４から下方に突出するボス筒壁６を有する略回転体に形成されている。側周壁５は、上窄まり円筒状の下部筒部５Ａと、内周面及び外周面の双方が鋸刃状のギザギザ面に形成されて下部筒部５Ａの上端に続く縮径された上部筒部（開口部の一例）５Ｂとを有している。上部筒部５Ｂがギザギザ面であるから、家具の太い脚を入れる場合に大径に伸ばし易いとともに、脚の断面形状が丸でも四角でも歪な形状でも適合して強固に弾性挟持させることができる。
【００１３】
底壁４は、四角平面が軸心Ｐ周りに４５度ずれて形成されたような平面視で星形（図３参照）を呈する下側の第１底面４Ａと、その第１底面４Ａを内側の打抜き孔として有するとともに側周壁５下端内側の円形外周を有する上側の第２底面４Ｂとを備える段差壁に形成されている。そして、底壁４の底面４ａには、後述する面ファスナ３の構成要素であるパイル状ファスナ部分３Ａが一体的に装備されている。
【００１４】
接地体２は、ボス筒壁６に外嵌可能なカバー側壁７と、凸曲面状の底面８ａを持つ接地壁８とから成る略有底筒状の部材であり、接地壁８の上面は、一段下がった環状の載置面８ｂと、ボス筒壁６のリング底面６ａを受止める頂面８ｃとを備えている。載置面８ｂには、後述する面ファスナ３の構成要素である鉤状ファスナ部分３Ｂが一体的に装備されている。底面８ａは、もっと小なる曲率で湾曲する面や平らな面でも良い。
【００１５】
支持手段３は、キャップ基体１の底面４ａに熱融着等によって一体化されるパイル状ファスナ部分３Ａと、接地体２の載置面８ｂに接着等によって一体化される鉤状ファスナ部分３Ｂとで成る面ファスナである。つまり、支持手段３が、キャップ基体１の底面４ａに沿う状態でキャップ基体１と接地体２とに跨って配備される面ファスナである。カバー側壁７をボス筒壁６に外嵌させて、頂面８ｃがリング底面６ａに当接するまで接地体２をキャップ基体１に嵌め込み装着すると、鉤状ファスナ部分３Ｂとパイル状ファスナ部分３Ａとが押付けられて面ファスナ３として機能する状態になるように設定されている。
【００１６】
キャップ基体１は、家具類、例えば図７に示すように、椅子（図示省略）の脚１１の下端部を強制挿入して係止させるためのものである。図７に示す脚１１は、断面形状が正方形等の四角であって底部側壁４ｂに丁度内嵌して、脚底１１ａが第１底面４Ａに当接している。従って、上部筒部５Ｂは元の丸形状からその丸が内接する程度の四角形状に弾性拡径され、脚１１を強く締付けてしっかりと保持できるようになっている。尚、第１底面４Ａより大きな径の脚の場合には、上部筒部５Ｂがさらに弾性拡径されて強固に挟持するとともに、脚底を第２底面４Ｂに載せ付けて安定保持させることが可能である。
【００１７】
さて、家具類の脚下端に装着される脚キャップＣは、窄められている上部筒部５Ｂの弾性嵌合によってしっかりと装着保持されており、その下部には低摩擦係数の硬質合成樹脂製接地体２が装備されているので滑りが良く、椅子を引き摺っても床に傷が付き難いとともに軽快に椅子を引き摺り移動することができる。面ファスナ３はせん断方向には引き剥がしに対して強い耐力があるものであるから、引き摺り等によってキャップ基体１と接地体２とを互いに横方向に引き離そうとする強い力が作用しても、接地体２がキャップ基体１から外れることはまず生じない。
【００１８】
そして、カバー側壁７とボス筒壁６とにより、キャップ基体１と接地体２とが、キャップ基体１の底面４ａに交差する方向（実施例１では直交）にて嵌り合う凹凸嵌合部９を有している。凹凸嵌合部９は、キャップ基体１と接地体２とを着脱可能に連結させる支持手段３の補助的な機能を有して、接地体２がキャップ基体１から外れ難くするとともに、すっきりとした外観として見栄の向上にも寄与している。
【００１９】
接地体２がキャップ基体１に対して着脱可能であるから、例えば、ゴム等の摩擦係数の高い材料で形成され、かつ、鉤状ファスナ部分３Ｂが一体的に装備される接地体２に交換すれば、滑らせ仕様の脚キャップから滑り止め仕様の脚キャップに切り換えることができる。この場合、キャップ基体は共通であって接地体２のみ付け換えできるようになっているから、構造簡単で簡単便利に、しかも椅子等の家具の重さには無関係に滑らせ仕様と滑り止め仕様との変更が行えるという良さがある。
【００２０】
また、図２等示すように、上部筒部５Ｂは外面１２及び内面１３共にギザギザ面であり、かつ、外面１２の径外側に突出する凸ギザ１２ａと内面１３の径外側に凹入する凹ギザ１３ａとが軸心Ｐに関する互いに同一な放射線上に位置するように構成されている。これにより、上部筒部５Ｂは一種の折り畳まれた襞のような壁になっており、材質がゴムであることによる伸びに加えて、構造上の伸び易さも加わり、かなりの範囲の脚１１の径にも対応して挿入でき、かつ、しっかりと弾性挟持できるものとなっている。
【００２１】
〔実施例２〕
接地体２としては、図８に示すように、接地壁８の底面にフェルトｆを一体的に設けた滑らせ仕様のものも可能である。例えば、平面状の底面８ａの中央部を凹ませて段差の付いた取付用面１０を形成し、その取付用面１０にフェルトｆを一体的に設ける構成が考えられる。つまり、フェルト付接地体２を有する脚キャップＣである。
【００２２】
〔別実施例〕
支持手段３としては、例えばカバー側壁７とボス筒壁６とを螺合させるといった具合に、螺着させる構成も可能である。また、凹凸嵌合部９が無く、支持手段３のみ備える脚キャップＣでも良い。面ファスナ３は、キャップ基体１に鉤状ファスナ部分３Ｂが固定され、かつ、接地体２にパイル状ファスナ部分３Ａが固定される構造でも良い。
【符号の説明】
【００２３】
１ キャップ基体
２ 接地体
３ 支持手段、面ファスナ
４ａ キャップ基体の底面
５Ｂ 開口部
９ 凹凸嵌合部
【図１】
0005508913.tif 000002
【図２】
0005508913.tif 000003
【図３】
0005508913.tif 000004
【図４】
0005508913.tif 000005
【図５】
0005508913.tif 000006
【図６】
0005508913.tif 000007
【図７】
0005508913.tif 000008
【図８】
0005508913.tif 000009